【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
購入済みのコンテンツと購入前のコンテンツがあり、購入済みのコンテンツ一覧を提示するユーザ棚と購入前のコンテンツ一覧を提示するショップ棚を表示する画面を有する表示装置において、
表示された前記ユーザ棚もしくは前記ショップ棚上のコンテンツに対するユーザ操作を受け付ける入力部と、
前記入力部が受け付けたユーザ操作に対する処理を行う棚機能実行部と、
購入履歴や返品履歴を管理する決済情報管理部と、
前記ショップ棚及び前記ユーザ棚画面の表示を行う棚表示実行部と、
コンテンツの再生を行うコンテンツ再生部とを備えることを特徴とする表示装置。
【請求項２】
前記棚機能実行部は、前記ショップ棚上のコンテンツの購入要求を前記入力部から受け取ると、前記決済情報管理部に購入履歴を記録することを特徴とする請求項１記載の表示装置。
【請求項３】
前記棚機能実行部は、前記ユーザ棚上のコンテンツの返品要求を前期入力部から受け取ると、前期決済情報管理部に対象コンテンツの購入履歴が存在する場合その購入履歴を消去し、存在しない場合返品履歴を記録すること特徴とする請求項１記載の表示装置。
【請求項４】
前記棚表示実行部は、前記棚機能実行部よりコンテンツの概要情報表示要求を受けて、コンテンツの概要情報を表示することを特徴とする請求項１記載の表示装置。
【請求項５】
前記コンテンツ再生部は、前記棚機能実行部よりコンテンツのプレ再生命令もしくは再生命令を受けて、再生処理を実行することを特徴とする請求項１記載の表示装置。
【請求項６】
購入済みのコンテンツと購入前のコンテンツがあり、購入済みのコンテンツ一覧を提示するユーザ棚と購入前のコンテンツ一覧を提示するショップ棚を表示する画面を有する表示装置において、前記ユーザ棚もしくは前記ショップ棚上に属するコンテンツの概略を示すコンテンツカバーを表示する表示手段を有し、
前記表示手段は、
ユーザ棚画面とショップ棚画面を同時に表示することを特徴とする表示装置。
【請求項７】
購入済みのコンテンツと購入前のコンテンツがあり、購入済みのコンテンツ一覧を提示するユーザ棚と購入前のコンテンツ一覧を提示するショップ棚を表示する画面を有する表示装置において、表示された画面上でなされたユーザの操作を受け付ける入力手段を有し、
前記表示手段はユーザが操作をしていない棚表示画面上に前記入力手段により受け付けた情報に連動した画面を表示することを特徴とする請求項６記載の表示装置。
【請求項８】
前記表示手段は、
前記ユーザ棚を表示する表示画面において、
前記ユーザ棚上に属するコンテンツが定期発行物である場合、それらをグルーピングした定期刊行物棚に提示することを特徴とする請求項６記載の表示装置。
【請求項９】
前記表示手段は、
前記ユーザ棚もしくは前記ショップ棚を表示する表示画面において、
各棚上に属するコンテンツが連載物である場合、最新のコンテンツカバーのみを提示することを特徴とする請求項６記載の表示装置。
【請求項１０】
前記表示手段は、
前記ユーザ棚もしくは前記ショップ棚を表示する表示画面において、
各棚上に属するコンテンツが新着物である場合、そのコンテンツカバーを点滅させて提示することを特徴とする請求項６記載の表示装置。
【請求項１１】
前記表示手段は、
前記ショップ棚を表示する表示画面において、
前記ショップ棚上に属するコンテンツが電子書籍であり、かつ新着物である場合、そのコンテンツカバーを表示する際表表紙を提示することを特徴とする請求項６記載の表示装置。
【請求項１２】
前記表示手段は、
前記ユーザ棚もしくは前記ショップ棚上のコンテンツのコンテンツカバー表示において、そのコンテンツが表示装置にて再生可能な状態にない場合、コンテンツのありかを示す情報を表示することを特徴とする請求項６記載の表示装置。
【請求項１３】
伝送路を利用してデータを送受信するサービス提供システムであって、前記サービス提供システムのデータ送信部は、情報を表示する時の表示方法やどのようなサービスを提供するかの機能を設定できるショップ用機能設定部と、前記ショップ用機能設定部で設定された機能を実行し、処理するショップ用機能実行部とを有し、さらに、前記データ送信部からのデータを受信する受信端末は、前記受信したデータに応じた表示や機能を実行するサービス提供部と、前記受信端末における固有のサービスを提供するための機能を設定できるサービス提供機能設定部と、前記サービス提供機能設定部で設定された機能を実行し、処理するサービス提供機能実行部と、前記サービス提供機能実行部で前記機能を実行する時に、ユーザからの入力データを受け付け、前記機能の実行に使うデータを送受信するユーザデータ入出力部とを有し、前記サービス提供部において、前記ショップ用機能設定部で設定された機能と前記サービス提供機能設定部で設定された機能とを合わせたサービス提供を行えるようにしたことを特徴とするサービス提供システム。
【請求項１４】
伝送路を利用してデータを送受信するサービス提供システムであって、前記サービス提供システムのデータ送信部は、情報を表示する時の表示方法やどのようなサービスを提供するかの機能を設定できるショップ用機能設定部と、前記ショップ用機能設定部で設定された機能を実行し、処理するショップ用機能実行部とを有することを特徴とするサービス提供システム。
【請求項１５】
伝送路を利用してデータを送受信するサービス提供システムであって、前記サービス提供システムの受信端末は、受信したデータに応じた表示や機能を実行するサービス提供部と、前記受信端末における固有のサービスを提供するための機能を設定できるサービス提供機能設定部と、前記サービス提供機能設定部で設定された機能を実行し、処理するサービス提供機能実行部と、前記サービス提供機能実行部で前記機能を実行する時に、ユーザからの入力データを受け付け、前記機能の実行に使うデータを送受信するユーザデータ入出力部とを有し、前記サービス提供部において、情報を表示する時の表示方法やどのようなサービスを提供するかの機能を設定できる機能と前記サービス提供機能設定部で設定された機能とを合わせたサービス提供を行えるようにしたことを特徴とするサービス提供システム。
【請求項１６】
伝送路を利用してデータを送受信するサービス提供方法であって、前記サービス提供方法におけるデータ送信部は、情報を表示する時の表示方法やどのようなサービスを提供するかの機能を設定できるステップと、前記設定された機能を実行し、処理するステップとを有することを特徴とするサービス提供方法。
【請求項１７】
伝送路を利用してデータを送受信するサービス提供方法であって、前記サービス提供方法における受信端末は、受信したデータに応じた表示や機能を実行するステップと、前記受信端末における固有のサービスを提供するための機能を設定できるステップと、前記設定された機能を実行し、処理するステップと、前記機能を実行する時に、ユーザからの入力データを受け付けるステップと、前記機能の実行に使うデータを送受信するステップと、情報を表示する時の表示方法やどのようなサービスを提供するかの機能を設定できる機能と前記設定された機能とを合わせたサービス提供を行えるステップとを有することを特徴とするサービス提供方法。
【請求項１８】
伝送路を利用してデータを送受信するサービス提供方法であって、商店の商品棚の表示を行うステップと、サービスを提供するステップとを有することを特徴とする請求項１７記載のサービス提供方法。
【請求項１９】
伝送路を利用してデータを送受信するサービス提供方法であって、商店の商品棚の表示を行うだけでなく、前記商品棚に示された商品をユーザが選択するステップと、前記選択された商品の詳細内容を表示するステップと、サービスを提供するようにするステップとを有することを特徴とする請求項１７記載のサービス提供方法。
【請求項２０】
伝送路を利用してデータを送受信するサービス提供方法であって、商店の商品棚の表示を行うだけでなく、前記商品棚をユーザが触れることにより、前記商品棚を回転させて商品を表示することができるようにするステップと、サービスを提供するようにするステップとを有することを特徴とする請求項１７記載のサービス提供方法。
【請求項２１】
伝送路を利用してデータを送受信するサービス提供プログラムであって、前記サービス提供プログラムにおけるデータ送信部は、情報を表示する時の表示方法やどのようなサービスを提供するかの機能を設定できるステップと、前記設定された機能を実行し、処理するステップとを、コンピュータに実行させるためのサービス提供プログラム。
【請求項２２】
伝送路を利用してデータを送受信するサービス提供プログラムであって、前記サービス提供プログラムにおける受信端末は、受信したデータに応じた表示や機能を実行するステップと、前記受信端末における固有のサービスを提供するための機能を設定できるステップと、前記設定された機能を実行し、処理するステップと、前記機能を実行する時に、ユーザからの入力データを受け付けるステップと、前記機能の実行に使うデータを送受信するステップと、情報を表示する時の表示方法やどのようなサービスを提供するかの機能を設定できる機能と前記設定された機能とを合わせたサービス提供を行えるステップとを、コンピュータに実行させるためのサービス提供プログラム。
【請求項２３】
伝送路を利用してデータを送受信するサービス提供プログラムであって、商店の商品棚の表示を行うステップと、サービスを提供するステップとを、コンピュータに実行させるための請求項２２記載のサービス提供プログラム。
【請求項２４】
伝送路を利用してデータを送受信するサービス提供プログラムであって、商店の商品棚の表示を行うだけでなく、前記商品棚に示された商品をユーザが選択するステップと、前記選択された商品の詳細内容を表示するステップと、サービスを提供するようにするステップとを、コンピュータに実行させるための請求項２２記載のサービス提供プログラム。
【請求項２５】
伝送路を利用してデータを送受信するサービス提供プログラムであって、商店の商品棚の表示を行うだけでなく、前記商品棚をユーザが触れることにより、前記商品棚を回転させて商品を表示することができるようにするステップと、サービスを提供するようにするステップとを、コンピュータに実行させるための請求項２２記載のサービス提供プログラム。